(57)【特許請求の範囲】
【請求項１】
再生媒体に記憶されている記憶情報を再生する情報再生装置と、インターネット上に設けられ、再生媒体に関連する関連情報を有するホームページを備えた情報サーバとを具備し、前記情報再生装置が前記インターネットを介して前記情報サーバと相互に通信可能に接続される情報再生システムであって、
前記情報再生装置は、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記ホームページをアクセスするためのアドレス情報を前記識別情報と対応付けた検索情報として有する検索テーブルと、
前記識別手段によって前記オーディオ再生媒体が種別判断されると、前記識別手段によって前記オーディオ再生媒体が種別判断された際の前記記憶情報内の識別情報に基づいて前記検索テーブルを検索することにより、当該識別情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動手段と、を具備し、
前記起動手段は、前記検出手段により再生媒体の装填を検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、
前記関連情報取得手段は、前記アドレス情報の取得ができないと判断した場合に、前記アドレス情報の取得のための追加情報の入力を要求する画像を前記表示手段に表示させる制御を行うことを特徴とする情報再生システム。
【請求項２】
更に、前記ホームページをアクセスするためのアドレス情報を検索情報として有し前記インターネット上に設けられた検索サーバを備え、
前記関連情報取得手段は、前記識別手段によって前記オーディオ再生媒体が種別判断された際の前記記憶情報内の識別情報に基づいて前記検索テーブルを検索した結果、当該識別情報に対応付けられた前記ホームページのアドレス情報が前記検索テーブルに存在しないと、前記検索サーバをアクセスし、前記識別手段によって前記オーディオ再生媒体が種別判断された際の前記記憶情報内の識別情報に対応付けられている前記ホームページをアクセスするためのアドレス情報を取得することを特徴とする請求項１に記載の情報再生システム。
【請求項３】
再生媒体に記憶されている記憶情報を再生する情報再生装置と、インターネット上に設けられ、再生媒体に関連する関連情報を有するホームページを備えた情報サーバと、インターネット上に設けられ、前記ホームページをアクセスするためのアドレス情報を検索情報として有する検索サーバとを具備し、前記情報再生装置が前記インターネットを介して前記情報サーバと検索サーバとに通信可能に接続される情報再生システムであって、
前記情報再生装置は、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記識別手段によって前記オーディオ再生媒体が種別判断されると、前記検索サーバをアクセスし、前記識別手段によって前記オーディオ再生媒体が種別判断された際の前記記憶情報内の識別情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動手段と、を具備し、
前記起動手段は、前記検出手段により再生媒体の装填が検出されるのに従って前記読取り手段と再生手段を起動させ、更に前記識別手段により当該装填された再生媒体がオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、
前記関連情報取得手段は、前記アドレス情報の取得ができないと判断した場合に、前記アドレス情報の取得のための追加情報の入力を要求する画像を前記表示手段に表示させる制御を行うことを特徴とする情報再生システム。
【請求項４】
前記情報再生装置は、更に前記ホームページをアクセスするためのアドレス情報を前記識別情報と対応付けた検索情報として有する検索テーブルを備え、
前記関連情報取得手段は、前記識別手段によって前記オーディオ再生媒体が種別判断された際の前記記憶情報内の識別情報に基づいて前記検索テーブルを検索した結果、当該識別情報に対応付けられた前記ホームページのアドレス情報を前記検索テーブルから取得すると、当該取得したアドレス情報に基づいて検索ソフトを起動して前記情報サーバの前記ホームページをアクセスして、前記オーディオ再生媒体に関連する関連情報を検索して取得し、一方、当該識別情報に対応付けられた前記ホームページのアドレス情報が前記検索テーブルに存在しないと、前記検索サーバをアクセスして、前記識別手段によって前記オーディオ再生媒体が種別判断された際の前記記憶情報内の識別情報に対応付けられている前記ホームページをアクセスするためのアドレス情報を取得すると共に、当該検索テーブル又は前記検索サーバから取得したアドレス情報に基づいて検索ソフトを起動して前記情報サーバの前記ホームページをアクセスして、前記オーディオ再生媒体に関連する関連情報を検索して取得することを特徴とする請求項３に記載の情報再生システム。
【請求項５】
前記起動手段は、関連情報取得手段が前記検索サーバから取得した前記アドレス情報を前記識別情報に対応付けて前記検索テーブルに格納させることを特徴とする請求項２又は４に記載の情報再生システム。
【請求項６】
再生媒体に記憶されている記憶情報を再生する情報再生装置と、インターネット上に設けられ、再生媒体に関連する関連情報を有するホームページを備えた情報サーバとを具備し、前記情報再生装置が前記インターネットを介して前記情報サーバと相互に通信可能に接続される情報再生システムであって、
前記情報再生装置は、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記ホームページをアクセスするためのアドレス情報を前記キーワード情報と対応付けた検索情報として有する検索テーブルと、
前記識別手段によって前記オーディオ再生媒体が種別判断されると、前記識別手段によって前記オーディオ再生媒体が種別判断された際の前記記憶情報内のキーワード情報に基づいて前記検索テーブルを検索することにより、当該キーワード情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動手段と、を具備し、
前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、
前記関連情報取得手段は、前記アドレス情報の取得ができないと判断した場合に、前記アドレス情報の取得のための追加情報の入力を要求する画像を前記表示手段に表示させる制御を行うことを特徴とする情報再生システム。
【請求項７】
更に、前記ホームページをアクセスするためのアドレス情報を検索情報として有し前記インターネット上に設けられた検索サーバを備え、
前記関連情報取得手段は、前記識別手段によって前記オーディオ再生媒体が種別判断された際の前記記憶情報内のキーワード情報に基づいて前記検索テーブルを検索した結果、当該キーワード情報に対応付けられた前記ホームページのアドレス情報が前記検索テーブルに存在しないと、前記検索サーバをアクセスし、前記識別手段によって前記オーディオ再生媒体が種別判断された際の前記記憶情報内のキーワード情報に対応付けられている前記ホームページをアクセスするためのアドレス情報を取得することを特徴とする請求項６に記載の情報再生システム。
【請求項８】
再生媒体に記憶されている記憶情報を再生する情報再生装置と、インターネット上に設けられ、再生媒体に関連する関連情報を有するホームページを備えた情報サーバと、インターネット上に設けられ、前記ホームページをアクセスするためのアドレス情報を検索情報として有する検索サーバとを具備し、前記情報再生装置が前記インターネットを介して前記情報サーバと検索サーバとに通信可能に接続される情報再生システムであって、
前記情報再生装置は、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記識別手段によって前記オーディオ再生媒体が種別判断されると、前記検索サーバをアクセスし、前記識別手段によって前記オーディオ再生媒体が種別判断された際の前記記憶情報内のキーワード情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動手段と、を具備し、
前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、
前記関連情報取得手段は、前記アドレス情報の取得ができないと判断した場合に、前記アドレス情報の取得のための追加情報の入力を要求する画像を前記表示手段に表示させる制御を行うことを特徴とする情報再生システム。
【請求項９】
前記情報再生装置は、更に前記ホームページをアクセスするためのアドレス情報を前記キーワード情報と対応付けた検索情報として有する検索テーブルを備え、
前記関連情報取得手段は、前記識別手段によって前記オーディオ再生媒体が種別判断された際の前記記憶情報内のキーワード情報に基づいて前記検索テーブルを検索した結果、当該キーワード情報に対応付けられた前記ホームページのアドレス情報を前記検索テーブルから取得すると、当該取得したアドレス情報に基づいて検索ソフトを起動して前記情報サーバの前記ホームページをアクセスして、前記オーディオ再生媒体に関連する関連情報を検索して取得し、一方、当該キーワード情報に対応付けられた前記ホームページのアドレス情報が前記検索テーブルに存在しないと、前記検索サーバをアクセスして、前記識別手段によって前記オーディオ再生媒体が種別判断された際の前記記憶情報内のキーワード情報に対応付けられている前記ホームページをアクセスするためのアドレス情報を取得すると共に、当該検索テーブル又は前記検索サーバから取得したアドレス情報に基づいて検索ソフトを起動して前記情報サーバの前記ホームページをアクセスして、前記オーディオ再生媒体に関連する関連情報を検索して取得することを特徴とする請求項８に記載の情報再生システム。
【請求項１０】
前記起動手段は、関連情報取得手段が前記検索サーバから取得した前記アドレス情報を前記キーワード情報に対応付けて前記検索テーブルに格納させることを特徴とする請求項７又は９に記載の情報再生システム。
【請求項１１】
前記キーワード情報は、少なくともアーティス名又はタイトル名の何れか１つの情報であることを特徴とする請求項６ないし１０の何れか１項に記載の情報再生システム。
【請求項１２】
前記情報サーバは、前記関連情報として、オーディオ再生媒体のタイトル、曲名の一覧、ジャケットに使用されている画像、歌詞、歌手のホームページ、歌手名、作詞家名、作曲家名、演奏者その他再生媒体の作成に関与した人の情報のうちの、少なくとも何れか１つの情報を有することを特徴とする請求項１ないし１１の何れか１項に記載の情報再生システム。
【請求項１３】
再生媒体に関連する関連情報を有するホームページを備えインターネット上に設けられた情報サーバと前記インターネットを介して相互に通信可能に接続され、再生媒体に記憶されている記憶情報を再生する情報再生装置であって、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記ホームページをアクセスするためのアドレス情報を前記識別情報と対応付けた検索情報として有する検索テーブルと、
前記識別手段によって前記オーディオ再生媒体が種別判断されると、前記識別手段によって前記オーディオ再生媒体が種別判断された際の前記記憶情報内の識別情報に基づいて前記検索テーブルを検索することにより、当該識別情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動段と、を具備し、
前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、
前記関連情報取得手段は、前記アドレス情報の取得ができないと判断した場合に、前記アドレス情報の取得のための追加情報の入力を要求する画像を前記表示手段に表示させる制御を行うることを特徴とする情報再生装置。
【請求項１４】
更に、前記ホームページをアクセスするためのアドレス情報を検索情報として有し前記インターネット上に設けられた検索サーバと通信可能に接続され、
前記関連情報取得手段は、前記識別手段によって前記オーディオ再生媒体が種別判断された際の前記記憶情報内の識別情報に基づいて前記検索テーブルを検索した結果、当該識別情報に対応付けられた前記ホームページのアドレス情報が前記検索テーブルに存在しないと、前記検索サーバをアクセスし、前記識別手段によって前記オーディオ再生媒体が種別判断された際の前記記憶情報内の識別情報に対応付けられている前記ホームページをアクセスするためのアドレス情報を取得することを特徴とする請求項１３に記載の情報再生装置。
【請求項１５】
再生媒体に関連する関連情報を有するホームページを備えインターネット上に設けられた情報サーバと、前記ホームページをアクセスするためのアドレス情報を検索情報として有しインターネット上に設けられた検索サーバとに、前記インターネットを介して通信可能に接続され、再生媒体に記憶されている記憶情報を再生する情報再生装置であって、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記識別手段によって前記オーディオ再生媒体が種別判断されると、前記検索サーバをアクセスし、前記識別手段によって前記オーディオ再生媒体が種別判断された際の前記記憶情報内の識別情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動手段と、を具備し、
前記起動手段は、前記検出手段により再生媒体の装填が検出されるのに従って前記読取り手段と再生手段を起動させ、更に前記識別手段により当該装填された再生媒体がオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、
前記関連情報取得手段は、前記アドレス情報の取得ができないと判断した場合に、前記アドレス情報の取得のための追加情報の入力を要求する画像を前記表示手段に表示させる制御を行うことを特徴とする情報再生装置。
【請求項１６】
前記情報再生装置は、更に前記ホームページをアクセスするためのアドレス情報を前記識別情報と対応付けた検索情報として有する検索テーブルを備え、
前記関連情報取得手段は、前記識別手段によって前記オーディオ再生媒体が種別判断された際の前記記憶情報内の識別情報に基づいて前記検索テーブルを検索した結果、当該識別情報に対応付けられた前記ホームページのアドレス情報を前記検索テーブルから取得すると、当該取得したアドレス情報に基づいて検索ソフトを起動して前記情報サーバの前記ホームページをアクセスして、前記オーディオ再生媒体に関連する関連情報を検索して取得し、一方、当該識別情報に対応付けられた前記ホームページのアドレス情報が前記検索テーブルに存在しないと、前記検索サーバをアクセスして、前記識別手段によって前記オーディオ再生媒体が種別判断された際の前記記憶情報内の識別情報に対応付けられている前記ホームページをアクセスするためのアドレス情報を取得すると共に、当該検索テーブル又は前記検索サーバから取得したアドレス情報に基づいて検索ソフトを起動して前記情報サーバの前記ホームページをアクセスして、前記オーディオ再生媒体に関連する関連情報を検索して取得することを特徴とする請求項１５に記載の情報再生装置。
【請求項１７】
前記起動手段は、関連情報取得手段が前記検索サーバから取得した前記アドレス情報を前記識別情報に対応付けて前記検索テーブルに格納させることを特徴とする請求項１４又は１６に記載の情報再生装置。
【請求項１８】
再生媒体に関連する関連情報を有するホームページを備えインターネット上に設けられた情報サーバと前記インターネットを介して相互に通信可能に接続され、再生媒体に記憶されている記憶情報を再生する情報再生装置であって、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記ホームページをアクセスするためのアドレス情報を前記キーワード情報と対応付けた検索情報として有する検索テーブルと、
前記識別手段によって前記オーディオ再生媒体が種別判断されると、前記識別手段によって前記オーディオ再生媒体が種別判断された際の前記記憶情報内のキーワード情報に基づいて前記検索テーブルを検索することにより、当該キーワード情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動手段と、を具備し、
前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、
前記関連情報取得手段は、前記アドレス情報の取得ができないと判断した場合に、前記アドレス情報の取得のための追加情報の入力を要求する画像を前記表示手段に表示させる制御を行うことを特徴とする情報再生装置。
【請求項１９】
更に、前記ホームページをアクセスするためのアドレス情報を検索情報として有し前記インターネット上に設けられた検索サーバと通信可能に接続され、
前記関連情報取得手段は、前記識別手段によって前記オーディオ再生媒体が種別判断された際の前記記憶情報内のキーワード情報に基づいて前記検索テーブルを検索した結果、当該キーワード情報に対応付けられた前記ホームページのアドレス情報が前記検索テーブルに存在しないと、前記検索サーバをアクセスし、前記識別手段によって前記オーディオ再生媒体が種別判断された際の前記記憶情報内のキーワード情報に対応付けられている前記ホームページをアクセスするためのアドレス情報を取得することを特徴とする請求項１８に記載の情報再生装置。
【請求項２０】
再生媒体に関連する関連情報を有するホームページを備えインターネット上設けられた情報サーバと、前記ホームページをアクセスするためのアドレス情報を検索情報として有しインターネット上に設けられた検索サーバとに、前記インターネットを介して通信可能に接続され、再生媒体に記憶されている記憶情報を再生する情報再生装置であって、
再生媒体が装填されたか否かを検出する検出手段と、
装填された再生媒体に記憶されている記憶情報を読み取る読取り手段と、
前記読取り手段により読み取られた前記記憶情報を再生する再生手段と、
前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、
前記識別手段によって前記オーディオ再生媒体が種別判断されると、前記検索サーバをアクセスし、前記識別手段によって前記オーディオ再生媒体が種別判断された際の前記記憶情報内のキーワード情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、
前記関連情報取得手段によって取得された関連情報を表示する表示手段と、
前記読取り手段と再生手段と識別手段と関連情報取得手段及び表示手段を制御する起動手段と、を具備し、
前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、
前記関連情報取得手段は、前記アドレス情報の取得ができないと判断した場合に、前記アドレス情報の取得のための追加情報の入力を要求する画像を前記表示手段に表示させる制御を行うことを特徴とする情報再生装置。
【請求項２１】
前記情報再生装置は、更に前記ホームページをアクセスするためのアドレス情報を前記キーワード情報と対応付けた検索情報として有する検索テーブルを備え、
前記関連情報取得手段は、前記識別手段によって前記オーディオ再生媒体が種別判断された際の前記記憶情報内のキーワード情報に基づいて前記検索テーブルを検索した結果、当該キーワード情報に対応付けられた前記ホームページのアドレス情報を前記検索テーブルから取得すると、当該取得したアドレス情報に基づいて検索ソフトを起動して前記情報サーバの前記ホームページをアクセスして、前記オーディオ再生媒体に関連する関連情報を検索して取得し、一方、当該キーワード情報に対応付けられた前記ホームページのアドレス情報が前記検索テーブルに存在しないと、前記検索サーバをアクセスして、前記識別手段によって前記オーディオ再生媒体が種別判断された際の前記記憶情報内のキーワード情報に対応付けられている前記ホームページをアクセスするためのアドレス情報を取得すると共に、当該検索テーブル又は前記検索サーバから取得したアドレス情報に基づいて検索ソフトを起動して前記情報サーバの前記ホームページをアクセスして、前記オーディオ再生媒体に関連する関連情報を検索して取得することを特徴とする請求項２０に記載の情報再生装置。
【請求項２２】
前記起動手段は、関連情報取得手段が前記検索サーバから取得した前記アドレス情報を前記キーワード情報に対応付けて前記検索テーブルに格納させることを特徴とする請求項１９又は２１に記載の情報再生装置。
【請求項２３】
前記キーワード情報は、少なくともアーティス名又はタイトル名の何れか１つの情報であることを特徴とする請求項１８ないし２２の何れか１項に記載の情報再生装置。
【請求項２４】
前記情報サーバは、前記関連情報として、オーディオ再生媒体のタイトル、曲名の一覧、ジャケットに使用されている画像、歌詞、歌手のホームページ、歌手名、作詞家名、作曲家名、演奏者その他再生媒体の作成に関与した人の情報のうちの、少なくとも何れか１つの情報を有することを特徴とする請求項１３ないし２３の何れか１項に記載の情報再生装置。
【請求項２５】
再生媒体に関連する関連情報を有するホームページを備えインターネット上に設けられた情報サーバと前記インターネットを介して相互に通信可能に接続され、再生媒体に記憶されている記憶情報を再生する情報再生装置における情報再生方法であって、
再生媒体が装填されたか否かを検出する検出工程と、
装填された再生媒体に記憶されている記憶情報を読み取る読取り工程と、
前記読取り工程により読み取られた前記記憶情報を再生する再生工程と、
前記読取り工程により読み取られた前記記憶情報に含まれている識別情報に基づいて、前記装填された再生媒体がＲＯＭ再生媒体か楽曲の記憶されたオーディオ再生媒体かの種別判断を行う識別工程と、
前記識別工程によって前記オーディオ再生媒体が種別判断されると、前記識別工程によって前記オーディオ再生媒体が種別判断された際の前記記憶情報内の識別情報又はキーワード情報に基づいて、前記ホームページをアクセスするためのアドレス情報を前記識別情報と対応付けた検索情報又は前記ホームページをアクセスするためのアドレス情報を前記キーワード情報と対応付けた検索情報として具備する検索テーブルを検索することにより、前記識別情報又はキーワード情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得工程と、
前記関連情報取得工程によって取得された関連情報を表示手段に表示する表示工程と、  前記読取り工程と再生工程と識別工程と関連情報取得工程及び表示工程を制御する起動工程と、を具備し、
前記起動工程では、前記検出工程で再生媒体の装填が検出されるのに従って前記読取り工程と再生工程を起動させ、更に前記識別工程により当該装填された再生媒体をオーディオ再生媒体と種別判断されると、前記関連情報取得工程に前記検索テーブルからのアドレス情報の取得と前記検索ソフトによる前記情報サーバからの関連情報の取得を行わせて、前記再生工程に前記オーディオ再生媒体に記録されている楽曲の記憶情報を再生させると共に、前記取得された関連情報を前記表示工程により表示手段に表示させ、
前記関連情報取得工程では、前記アドレス情報の取得ができないと判断した場合に、前記アドレス情報の取得のための追加情報の入力を要求する画像を前記表示手段に表示させる制御を行うことを特徴とする情報再生方法。
【発明の詳細な説明】
【０００１】
【産業上の利用分野】
本発明は、コンピュータに関し、特に、再生媒体に関する関連情報を再生媒体の再生にあわせて表示などで告知する機能を有するコンピュータに関する。
【０００２】
【従来の技術】
近年、ＣＤメディアを利用した色々な種類の情報再生媒体が市場に登場するようになってきた。
ＣＤは当初音楽用のＣＤオーディオを中心に普及したが、現在ではＣＤ−ＲＯＭもコンピュータ用途を中心に普及している。ＣＤ−ＲＯＭはフォトＣＤ、エンハンスドミュージックＣＤ（以下ＣＤエクストラと称する）、ビデオＣＤなどを含み、特にＣＤエクストラ、フォトＣＤは複数のリードインエリアを持つマルチセッションＣＤにも含まれる。
また、近年のパーソナルコンピュータは、フォトＣＤ，ビデオＣＤの再生のための再生プログラムのみならず音楽ＣＤの再生も可能なようにＣＤオーディオの再生プログラムをも有するものが多く多機能化が著しい。
【０００３】
他方、パーソナルコンピュータと外部機器とをネットワークで接続し相互に情報のやりとりを行うことも比較的容易に行えるようになってきた。
インターネットを例にとると、使用者はブラウザーソフトを起動して希望する情報を有するサーバのアドレスを入力することで自由に該当するサーバにアクセスできる。
また、キーワードから前述のアドレスを検索する機能を有するサーバもあり、仮に求めるアドレスが直接的にわからなくても、まず、検索機能を有するアドレスのサーバにアクセスし、そのサーバの検索機能を用いて間接的に求めるアドレスを得ることもできる。
【０００４】
さらに、処理の高速化に伴い、複数のプログラムを時分割で起動させ、複数の機能を並列的に実現することも可能となっている。
例えば、音楽ＣＤの再生プログラムとブラウザープログラムとを起動させ、音楽ＣＤを聞きつつ、さらに音楽ＣＤに関連する情報の表示を行うことができる。
【０００５】
しかし、この場合、使用者がまず再生しようとする音楽ＣＤから歌手名といったキーワードを想定し、ブラウザープログラムを起動させそのキーワードを入力して前述の検索する機能を有するサーバから対応するアドレスを得、さらにそのアドレスを指定して関連する情報を得るという繁雑な操作が必要であるという問題があった。
【０００６】
【発明が解決しようとする課題】
本発明は、かかる問題を解決すべくなされたものであり、その目的とするところは、再生媒体がセットされると、そのセットされた再生媒体の種別に応じた再生を行うと共に、その再生媒体に関連する関連情報を自動的に表示などで告知するコンピュータを提供することにある。
【０００７】
【課題を解決するための手段】
請求項１に記載の発明は、再生媒体に記憶されている記憶情報を再生する情報再生装置と、インターネット上に設けられ、再生媒体に関連する関連情報を有するホームページを備えた情報サーバとを具備し、前記情報再生装置が前記インターネットを介して前記情報サーバと相互に通信可能に接続される情報再生システムであって、前記情報再生装置は、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記ホームページをアクセスするためのアドレス情報を前記識別情報と対応付けた検索情報として有する検索テーブルと、前記識別手段によって前記オーディオ再生媒体が種別判断されると、前記識別手段によって前記オーディオ再生媒体が種別判断された際の前記記憶情報内の識別情報に基づいて前記検索テーブルを検索することにより、当該識別情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動手段と、を具備し、前記起動手段は、前記検出手段により再生媒体の装填を検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、前記関連情報取得手段は、前記アドレス情報の取得ができないと判断した場合に、前記アドレス情報の取得のための追加情報の入力を要求する画像を前記表示手段に表示させる制御を行うことを特徴とする。
請求項３に記載の発明は、再生媒体に記憶されている記憶情報を再生する情報再生装置と、インターネット上に設けられ、再生媒体に関連する関連情報を有するホームページを備えた情報サーバと、インターネット上に設けられ、前記ホームページをアクセスするためのアドレス情報を検索情報として有する検索サーバとを具備し、前記情報再生装置が前記インターネットを介して前記情報サーバと検索サーバとに通信可能に接続される情報再生システムであって、前記情報再生装置は、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記識別手段によって前記オーディオ再生媒体が種別判断されると、前記検索サーバをアクセスし、前記識別手段によって前記オーディオ再生媒体が種別判断された際の前記記憶情報内の識別情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動手段と、を具備し、前記起動手段は、前記検出手段により再生媒体の装填が検出されるのに従って前記読取り手段と再生手段を起動させ、更に前記識別手段により当該装填された再生媒体がオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、前記関連情報取得手段は、前記アドレス情報の取得ができないと判断した場合に、前記アドレス情報の取得のための追加情報の入力を要求する画像を前記表示手段に表示させる制御を行うことを特徴とする。
請求項６に記載の発明は、再生媒体に記憶されている記憶情報を再生する情報再生装置と、インターネット上に設けられ、再生媒体に関連する関連情報を有するホームページを備えた情報サーバとを具備し、前記情報再生装置が前記インターネットを介して前記情報サーバと相互に通信可能に接続される情報再生システムであって、前記情報再生装置は、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記ホームページをアクセスするためのアドレス情報を前記キーワード情報と対応付けた検索情報として有する検索テーブルと、前記識別手段によって前記オーディオ再生媒体が種別判断されると、前記識別手段によって前記オーディオ再生媒体が種別判断された際の前記記憶情報内のキーワード情報に基づいて前記検索テーブルを検索することにより、当該キーワード情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動手段と、を具備し、前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、前記関連情報取得手段は、前記アドレス情報の取得ができないと判断した場合に、前記アドレス情報の取得のための追加情報の入力を要求する画像を前記表示手段に表示させる制御を行うことを特徴とする。
請求項８に記載の発明は、再生媒体に記憶されている記憶情報を再生する情報再生装置と、インターネット上に設けられ、再生媒体に関連する関連情報を有するホームページを備えた情報サーバと、インターネット上に設けられ、前記ホームページをアクセスするためのアドレス情報を検索情報として有する検索サーバとを具備し、前記情報再生装置が前記インターネットを介して前記情報サーバと検索サーバとに通信可能に接続される情報再生システムであって、前記情報再生装置は、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記識別手段によって前記オーディオ再生媒体が種別判断されると、前記検索サーバをアクセスし、前記識別手段によって前記オーディオ再生媒体が種別判断された際の前記記憶情報内のキーワード情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動手段と、を具備し、前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、前記関連情報取得手段は、前記アドレス情報の取得ができないと判断した場合に、前記アドレス情報の取得のための追加情報の入力を要求する画像を前記表示手段に表示させる制御を行うことを特徴とする。
請求項１３に記載の発明は、再生媒体に関連する関連情報を有するホームページを備えインターネット上に設けられた情報サーバと前記インターネットを介して相互に通信可能に接続され、再生媒体に記憶されている記憶情報を再生する情報再生装置であって、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記ホームページをアクセスするためのアドレス情報を前記識別情報と対応付けた検索情報として有する検索テーブルと、前記識別手段によって前記オーディオ再生媒体が種別判断されると、前記識別手段によって前記オーディオ再生媒体が種別判断された際の前記記憶情報内の識別情報に基づいて前記検索テーブルを検索することにより、当該識別情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動段と、を具備し、前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、前記関連情報取得手段は、前記アドレス情報の取得ができないと判断した場合に、前記アドレス情報の取得のための追加情報の入力を要求する画像を前記表示手段に表示させる制御を行うることを特徴とする。
請求項１５に記載の発明は、再生媒体に関連する関連情報を有するホームページを備えインターネット上に設けられた情報サーバと、前記ホームページをアクセスするためのアドレス情報を検索情報として有しインターネット上に設けられた検索サーバとに、前記インターネットを介して通信可能に接続され、再生媒体に記憶されている記憶情報を再生する情報再生装置であって、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記識別手段によって前記オーディオ再生媒体が種別判断されると、前記検索サーバをアクセスし、前記識別手段によって前記オーディオ再生媒体が種別判断された際の前記記憶情報内の識別情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動手段と、を具備し、前記起動手段は、前記検出手段により再生媒体の装填が検出されるのに従って前記読取り手段と再生手段を起動させ、更に前記識別手段により当該装填された再生媒体がオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、前記関連情報取得手段は、前記アドレス情報の取得ができないと判断した場合に、前記アドレス情報の取得のための追加情報の入力を要求する画像を前記表示手段に表示させる制御を行うことを特徴とする。
請求項１８に記載の発明は、再生媒体に関連する関連情報を有するホームページを備えインターネット上に設けられた情報サーバと前記インターネットを介して相互に通信可能に接続され、再生媒体に記憶されている記憶情報を再生する情報再生装置であって、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記ホームページをアクセスするためのアドレス情報を前記キーワード情報と対応付けた検索情報として有する検索テーブルと、前記識別手段によって前記オーディオ再生媒体が種別判断されると、前記識別手段によって前記オーディオ再生媒体が種別判断された際の前記記憶情報内のキーワード情報に基づいて前記検索テーブルを検索することにより、当該キーワード情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動手段と、を具備し、前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索テーブルからのアドレス情報の取得と前記検索ソフトによる前記情報サーバからの関連情報の取得を自動的に行わせて、前記再生手段に前記オーディオ再生媒体に記録されている楽曲の記憶情報を再生させると共に、前記取得された関連情報を前記表示手段に表示させ、前記関連情報取得手段は、前記アドレス情報の取得ができないと判断した場合に、前記アドレス情報の取得のための追加情報の入力を要求する画像を前記表示手段に表示させる制御を行うことを特徴とする。
請求項２０に記載の発明は、再生媒体に関連する関連情報を有するホームページを備えインターネット上設けられた情報サーバと、前記ホームページをアクセスするためのアドレス情報を検索情報として有しインターネット上に設けられた検索サーバとに、前記インターネットを介して通信可能に接続され、再生媒体に記憶されている記憶情報を再生する情報再生装置であって、再生媒体が装填されたか否かを検出する検出手段と、装填された再生媒体に記憶されている記憶情報を読み取る読取り手段と、前記読取り手段により読み取られた前記記憶情報を再生する再生手段と、前記読取り手段により読み取られた前記記憶情報に含まれている識別情報に基づいて、前記装填された再生媒体がＲＯＭ再生媒体か楽曲の記憶されたオーディオ再生媒体かの種別判断を行う識別手段と、前記識別手段によって前記オーディオ再生媒体が種別判断されると、前記検索サーバをアクセスし、前記識別手段によって前記オーディオ再生媒体が種別判断された際の前記記憶情報内のキーワード情報に対応付けられている前記ホームページをアクセスするためのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得手段と、前記関連情報取得手段によって取得された関連情報を表示する表示手段と、前記読取り手段と再生手段と識別手段と関連情報取得手段及び表示手段を制御する起動手段と、を具備し、前記起動手段は、前記検出手段により再生媒体の装填が検出されるのに従って前記読取り手段と再生手段を起動させ、更に前記識別手段により当該装填された再生媒体をオーディオ再生媒体と種別判断されると、前記関連情報取得手段に前記検索サーバからのアドレス情報の取得と前記検索ソフトによる前記情報サーバからの関連情報の取得を自動的に行わせて、前記再生手段による記憶情報の再生と共に、取得された前記関連情報を表示手段に表示させ、前記関連情報取得手段は、前記アドレス情報の取得ができないと判断した場合に、前記アドレス情報の取得のための追加情報の入力を要求する画像を前記表示手段に表示させる制御を行うことを特徴とする。
請求項２５に記載の発明は、再生媒体に関連する関連情報を有するホームページを備えインターネット上に設けられた情報サーバと前記インターネットを介して相互に通信可能に接続され、再生媒体に記憶されている記憶情報を再生する情報再生装置における情報再生方法であって、再生媒体が装填されたか否かを検出する検出工程と、装填された再生媒体に記憶されている記憶情報を読み取る読取り工程と、前記読取り工程により読み取られた前記記憶情報を再生する再生工程と、前記読取り工程により読み取られた前記記憶情報に含まれている識別情報に基づいて、前記装填された再生媒体がＲＯＭ再生媒体か楽曲の記憶されたオーディオ再生媒体かの種別判断を行う識別工程と、前記識別工程によって前記オーディオ再生媒体が種別判断されると、前記識別工程によって前記オーディオ再生媒体が種別判断された際の前記記憶情報内の識別情報又はキーワード情報に基づいて、前記ホームページをアクセスするためのアドレス情報を前記識別情報と対応付けた検索情報又は前記ホームページをアクセスするためのアドレス情報を前記キーワード情報と対応付けた検索情報として具備する検索テーブルを検索することにより、前記識別情報又はキーワード情報に対応付けられた前記ホームページのアドレス情報を取得すると共に、当該取得したアドレス情報に基づいて検索ソフトを起動して前記情報サーバの前記ホームページをアクセスし、前記オーディオ再生媒体に関連する関連情報を検索して取得する関連情報取得工程と、前記関連情報取得工程によって取得された関連情報を表示手段に表示する表示工程と、  前記読取り工程と再生工程と識別工程と関連情報取得工程及び表示工程を制御する起動工程と、を具備し、前記起動工程では、前記検出工程で再生媒体の装填が検出されるのに従って前記読取り工程と再生工程を起動させ、更に前記識別工程により当該装填された再生媒体をオーディオ再生媒体と種別判断されると、前記関連情報取得工程に前記検索テーブルからのアドレス情報の取得と前記検索ソフトによる前記情報サーバからの関連情報の取得を行わせて、前記再生工程に前記オーディオ再生媒体に記録されている楽曲の記憶情報を再生させると共に、前記取得された関連情報を前記表示工程により表示手段に表示させ、前記関連情報取得工程では、前記アドレス情報の取得ができないと判断した場合に、前記アドレス情報の取得のための追加情報の入力を要求する画像を前記表示手段に表示させる制御を行うことを特徴とする。
【０００８】
【発明の実施の形態】
以下、本発明の実施例を図面を参照しつつ詳細に説明する。
図１は、本発明の一実施例であるＣＤ（コンパクトディスク）自動起動機能並びに関連情報の自動呼び出し機能を有するコンピュータの概略構成を示している。
【０００９】
図１において、コンピュータ１には、セットされたＣＤの再生プログラムを自動的に起動するための自動起動プログラムとＣＤエクストラの優先再生プログラムを決定するための選択情報決定プログラム及び関連情報の自動呼び出しプログラムを少なくとも有する制御部２、ＣＤオーディオ用の再生プログラム３、フォトＣＤ用の再生プログラム４、ビデオＣＤ用の再生プログラム５といった複数のプログラムが既に用意されている。
【００１０】
また、後述の選択情報や上記以外のＣＤ−ＲＯＭの再生プログラムをＣＤ−ＲＯＭからロードし保持するためのＲＡＭ６、セットされたＣＤ８から情報を読み出すための読取り部７を備えている。読取り部はピックアップといったハード機器並びにそれを駆動するドライバを含んでいる。
さらに、各種情報の入力並びに表示を行うための入力部９、表示部１０、検索のためのデータベース１８を有している。
なお、各部はバスライン１１を介して相互に通信可能となっており、外部のサーバ１３、１４、１５、１８には通信路１２を介して相互に通信可能となっている。
以上が、コンピュータ１の概略構成である。
【００１１】
次に、まず、再生プログラムの自動起動機能について以下に詳細に説明する。
かかる機能は、主として制御部２の自動起動プログラムで実施され、図２にそのフローチャートを示す。
【００１２】
ＣＤがコンピュータ１にセットされると、まず読取り部７に、セットされたＣＤを駆動し第１セッション（最内周のセッション）のリードインエリアの情報（ＴＯＣ情報）を読取ることを指令する。
読取り部７はこの指令を受け、ドライバがピックアップ、モータなどを制御してリードインエリアの情報を読取り、これを出力する。
【００１３】
次に、ステップ２にて、ＴＯＣ情報中のコントロールビット、アドレスビット、分、秒、フレーム番号に関する情報をそれぞれ取得する。
コントロールビットからは、そのセッションがＣＤオーディオであるか、ＣＤ−ＲＯＭであるかを識別することができる。
また、アドレスビットからは、そのＣＤがシングルセッション（すなわち、第１セッションのみ）かＣＤエクストラのようなマルチセッションであるかを識別することができる。
【００１４】
ステップ３では、かかるアドレスビットの値を確認し、セットされたＣＤがマルチセッションであるかシングルセッションであるかを判定する。
ステップ３にて、セットされたＣＤがマルチセッションであると判定される時には、ステップ２で読取ったＴＯＣ情報から次のセッションの先頭時間を得られるので、第２セッションのリードインエリアの再生を行うように読取り部に指令する（ステップ４）。
以降、最終セッションまでかかるステップ１、２、３が実行される。
【００１５】
各セッションの情報を得た後に、その情報を利用してセットされたＣＤの種別判別がステップ５以降で実施される。
【００１６】
ステップ５では、読み込んだ第１セッションのコントロールビットから第１セッションがＣＤオーディオであるか、ＣＤ−ＲＯＭであるかを判定する。
ステップ５で第１セッションがＣＤオーディオであると識別された時には、セットされたＣＤはＣＤオーディオまたはＣＤエクストラであるので、そのどちらであるかをステップ６にて識別する。
【００１７】
ステップ６では、読み込んだ第１セッションのアドレスビットからセットされたＣＤがシングルセッションであるかマルチセッションであるかを判定する。
シングルセッションであれば、セットされたＣＤはＣＤオーディオであり、マルチセッションであればセットされたＣＤはＣＤエクストラであるので、対応する再生プログラムの起動をステップ７、８で指令する。
【００１８】
ＣＤオーディオの再生プログラムでは、予め指定された曲（例えば１曲目）が再生される。また、ＣＤエクストラの再生ではオーディオセッションまたはデータセッションのいずれか１方の再生プログラムが起動されるわけであるが、この点については後述する。
【００１９】
他方、ステップ５で第１セッションがＣＤ−ＲＯＭであると識別された場合はステップ９に移り、ステップ６と同様に第１セッションのアドレスビットからセットされたＣＤがシングルセッションであるかマルチセッションであるかを識別する。
【００２０】
セットされたＣＤがマルチセッションであれば、フォトＣＤの可能性があるのでステップ１０にて最終セッションのＬＳＮ１６（物理アドレス００：０２：１６）にあるＶＴＯＣ（Ｖｏｌｕｍｅ  Ｔａｂｌｅ  ｏｆ  Ｃｏｎｔｅｎｔｓ）の読み込みを読取り部に指令し、ルートディレクトリの下にあるディレクトリ名を取得する（ステップ１２）。
【００２１】
また、セットされたＣＤがシングルセッションであれば、ビデオＣＤの可能性があるので、ステップ１１にて同様に第１セッションのＶＴＯＣの読取りを読取り部に指令し（ステップ１１）、ルートディレクトリの下にあるディレクトリ名を取得する（ステップ１２）。
【００２２】
ＶＴＯＣの読取りが終わると、取得したディレクトリ名の中に特定のディレクトリ名があるか否かを識別する（ステップ１３）。
具体的には、ＶＴＯＣを構成するＰＶＤ（Ｐｒｉｍａｒｙ  Ｖｏｌｕｍｅ  Ｄｅｓｃｒｉｐｔｏｒ：基本ボリューム記述子）がルートディレクトリのポインタを有しているので、この情報に基づきルートディレクトリの情報を得、その下にＰＨＯＴＯ  ＣＤ，ＶＣＤといった名称のディレクトリがあるか否かを検索するのである。
【００２３】
すなわち、ステップ９でマルチセッションと識別された時には、ＰＨＯＴＯ  ＣＤというディレクトリ名があるかがさらに検索され、セットされたＣＤがフォトＣＤであるか、その他のＣＤ−ＲＯＭであるかを識別し、ステップ９でシングルセッションと識別された時には、ＶＣＤというディレクトリ名があるかがさらに検索され、セットされたＣＤがビデオＣＤであるか、その他のＣＤ−ＲＯＭであるかを識別するのである。
【００２４】
その結果、セットされたＣＤがビデオＣＤであると識別された時には、ステップ１４にて対応するビデオＣＤの再生プログラムの起動が指令され、セットされたＣＤがフォトＣＤであると識別された時には、ステップ１５にて対応するフォトＣＤの再生プログラムの起動が指令され、その他のＣＤであると識別された時には、セットされたＣＤ−ＲＯＭから再生プログラムをＲＡＭ６にロードし、これを起動する（ステップ１６）。この時、実行可能なプログラムが複数存在する場合は、そのいずれか１つが使用者の選択でまたは予め定められた優先度に応じて再生プログラムとして実行される。
以上が自動起動プログラムの詳細である。以上の機能の追加により使い勝手がより一層向上することになる。
【００２５】
次に、ステップ８のＣＤエキストラの再生プログラムの起動について以下に説明する。
ＣＤエクストラは、一般の音楽用プレーヤで再生でき、且つＣＤ−ＲＯＭドライブで利用できるようにオーディオトラックを第１セッションに、データトラックを第２セッションに配置している。
従来、ＣＤ−ＲＯＭドライブはマルチセッションディスクであることを認識すると、最後のセッション（すなわち、データトラック）から読み込むようになっており、音楽用のＣＤプレーヤは、マルチセッションの存在を認識できないので最初のセッション（すなわち、オーディオトラック）から再生するようになっていた。
【００２６】
しかし、本発明のコンピュータのように、音楽ＣＤ，並びにＣＤ−ＲＯＭいずれも再生可能である場合、いずれのセッションを再生するか使用者が決定可能である方がさらに便利である。
【００２７】
よって、本発明のＣＤエクストラの起動（図２ステップ８）にあたっては、図３のように再生セッションの決定行程Ｓ３１、３２が追加されている。
以下図３について説明する。
【００２８】
図２のステップ６にてマルチセッション（すなわちＣＤエクストラ）であると識別された場合、ステップ３１にて記憶されている選択情報が読み込まれる。この選択情報はＣＤエクストラのいずれのセッションを優先して再生するか示す情報でありＲＡＭ６に保持されている。例えば選択情報が１であれば、音楽セッションの優先再生を示し、０であればデータセッションの優先再生を示すように定義できる。
【００２９】
ステップ３２ではこの選択情報を識別し、オーディオセッションを優先するかデータセッションを優先するかを判定する。
この判定結果に基づき、オーディオセッションを優先する場合はステップ７のＣＤオーディオ再生プログラムの起動を指令し、データセッションを優先する場合は、ディスク中の再生プログラムをＲＡＭにロードしこれを起動する（ステップ１６）。
以上の機能を追加することで、ＣＤエクストラの再生が更に便利なものとなる。
【００３０】
次に、図３で読み込まれた選択情報の決定処理について説明する。
図４は選択情報の決定処理を示すフローチャートであり、そのプログラムは制御部２に含まれており、定期的に実行されている。
まず、ステップ４１にて、選択リクエスト（例えば、表示画面上の選択リクエストキーのクリック）がなされたか否かが判定される。
リクエストがない場合は今回の処理は終了する。リクエストとがある場合は選択モードに入ったことを示す表示を行うように表示部１０に指令する（ステップ４２）。
【００３１】
続いて、いずれのセッションを優先するかについての入力の有無をステップ４３で判定する。いずれのセッションを優先するかの入力がない場合は、使用者からのモード解除の入力がない限りはこの処理を継続する（ステップ４４：Ｎｏ）。  ステップ４３でいずれのセッションを優先するかについての入力があった場合（ステップ４３：Ｙｅｓ）は、ステップ４５にてＲＡＭ６に保持している選択情報を入力に基づき更新して選択情報の決定処理を終了する。
以上が、選択情報の決定処理であり、かかる機能を追加することで、ＣＤエクストラのどのセッションを優先的に再生するかを使用者が自由に決定することが可能となる。
【００３２】
なお、上記実施例ではＣＤエクストラを例にとり再生セッションの選択処理を説明したが、これに限らず、記録形態が複数のセッションで構成されているマルチセッションディスク全般について使用できることはいうまでもない。
【００３３】
次に、関連情報の自動呼び出し機能について説明する。
かかる機能は、主として制御部２の関連情報の自動呼び出しプログラムで実施され、図５にそのフローチャートを示す。なお、かかるプログラムは図２で示すＣＤの自動起動プログラムと並列的に起動することも可能である。
【００３４】
まず、ステップ５１にてディスクのセットがなされたか否かが検知される。より詳細には、ディスク８が読取り部７のＣＤ用のトレイに装填されると読取り部７からＣＤのセットを示す検出信号を検出することができるのでかかる検出信号を定期的に確認することでディスクのセットがなされたか否かが検知される。
【００３５】
ディスクのセットがなされていない場合は今回の処理を終了する。他方、ディスクのセットが検出された場合はステップ５２にてセットされたディスクの識別情報を取得する。
【００３６】
ここでは、ＴＯＣ部の情報、ＣＤオーディオといったディスク内容を示す情報を識別情報とした場合について説明する。少なくともＴＯＣ部分の情報はＣＤの識別には必要であり、分、秒、フレーム番号のデータを本実施例では使用している。
また、ディスク内容を示す情報は必ずしも必要ではないが、後述の検索処理を迅速に行うために本実施例では取得することにしている。ディスク内容の識別の具体的なやり方については再生プログラムの自動起動機能（図２のフローチャート）のところで詳細に説明しているのでここでは省略する。
【００３７】
次に、ステップ５３で識別情報に対応するキーワードの検索が行われる。具体的にはデータベース１８に保持している検索テーブルのデータを検索することで対応するキーワード（例えば音楽ＣＤのキーワードであればアーティスト名、タイトル名）の検索がなされる。
検索テーブルの構成例を図６に示す。ここではディスク内容毎のテーブルを構成し、該当するテーブルのデータのみを検索対象とすることで検索量を減らすように構成している。
また、識別情報とキーワードとは必ずしも１対１に対応する必要はなく、１つの識別情報（例えば識別情報１）を複数のキーワード（例えばキーワード１、２）に対応させてもよく、また、逆に複数の識別情報（例えば識別情報２、３）を１つのキーワード（例えばキーワード３）に対応させてもよい。
【００３８】
かかるデータベースは使用者の入力により作成することができるし、他の再生媒体（例えばデータベースを記憶したディスク）から得ることもできる。
また、セットされた再生媒体自体がキーワード情報をさらに記憶することも可能である。例えばサブコードに記憶されている文字情報であるＣＤテキストをそのまま利用してキーワードとすることもできる。この場合はステップ５３のキーワードの検索処理は不要となる。
さらに、識別情報からキーワードを検索する検索部１６を有する他のサーバ１３にアクセスし、得られたキーワードを識別情報と対応させて順次保持していくことで図６のようなデータベースを構築してもよい。
【００３９】
検索にてキーワードが得られた場合（ステップ５４：ＹＥＳ）は、ステップ５５にてアドレスの検索が行われる。このアドレスは例えばインターネットで使用されるホームページのアドレスとすることができる。
この時の検索テーブルの構成例を図７に示す。図７も図６と同様にキーワードとアドレスは必ずしも１対１に対応する必要はなく、１つのキーワード（例えばキーワード１）を複数のアドレス（例えばアドレス１、２）に対応させてもよく、また、逆に複数のキーワード（例えばキーワード２、３）を１つのアドレス（例えばアドレス３）に対応させてもよい。
【００４０】
かかるデータベースも使用者の入力により作成することができるし、他の再生媒体（例えばデータベースを記憶したディスク）から得ることもできる。
また、セットされた再生媒体自体がアドレス情報をさらに記憶することも可能である。この場合はキーワード並びにアドレスの検索処理は不要となる。
さらに、識別情報からアドレスを検索する検索部１７を有する他のサーバ１５にアクセスし、得られたアドレスをキーワードに対応させて順次保持していくことで図７のようなデータベースを構築してもよい。
【００４１】
対応するアドレスが取得されると（ステップ５６：ＹＥＳ）該当するアドレスの関連情報を取得しこれを表示する（ステップ６１）。
ホームページのような関連情報は通信路１２を介して検索されたアドレスのサーバ１４にアクセスすることで取得できる。
また、ネットワークを用いず、関連情報を記憶している再生媒体（例えば関連情報を記憶したＣＤ−ＲＯＭ）から対応するアドレスの関連情報を取得することも可能である。
【００４２】
また、関連情報としては、例えば音楽ＣＤの場合は、そのＣＤのタイトル、曲名の一覧、ジャケットに使用されている画像、歌詞、歌手のホームページ、といった情報や、歌手名、作詞家名、作曲家名、演奏者名といったそのＣＤの作成に関与した人の情報などが適切である。
【００４３】
対応するアドレスが取得できない場合は（ステップ５６：ＮＯ）、このままでは関連情報が表示できないので追加のキーワードを使用者に要求する表示するように表示部１０を制御する（ステップ５７）。図８にその一例を示す。
そして、入力部９を介して入力された追加のキーワードに基づき再度ステップ５５に戻りアドレスの検索を行う。なお、使用者による解除指令がある時は関連情報の表示を中止する。
【００４４】
他方、ステップ５３のキーワードの検索にて対応するキーワードが取得できなかった時（ステップ５４：ＮＯ）は、コンピュータ１のデータベースより更に大きなデータベースを有し、且つ、識別情報からキーワードを検索する検索部１６を有する外部サーバ１３にアクセスし識別情報を伝送する（ステップ５９）。外部サーバ１３は検索を行い対応するキーワードをコンピュータ１に伝送する。
【００４５】
対応するキーワードが取得された場合（ステップ６０：ＹＥＳ）はステップ５５にて該当するアドレスの検索を行う。また、対応するキーワードが取得されない場合（ステップ６０：ＮＯ）は追加のキーワードを使用者に要求する表示を行う（ステップ５７）。
【００４６】
以上が関連情報の自動呼び出し処理であり、かかる機能を追加することで自動的に関連情報の表示を行うことが可能となる。
【００４７】
なお、上記実施例ではアドレスの検索をコンピュータ１内のデータベースを用いて行ったが必ずしもコンピュータ１のデータベースは必要ではない。
例えば、ステップ５６のアドレスの検索をキーワードから対応するアドレスを検索する検索部１７を有する他のサーバ１５にて行うこともできる。この場合、コンピュータ１はキーワードを他のサーバ１５に伝送し検索を依頼することになる。
【００４８】
また、ステップ５３、５４、５９のように、コンピュータ１内のデータベースを用いて検索を行い、アドレスが得られない場合に、検索部１７を有する他のサーバ１５に検索を依頼し対応するキーワードを得ることも可能である。
【００４９】
さらには、キーワードの検索をコンピュータ１内のデータベース１８を用いないで識別情報から対応するキーワードを検索する検索部１６を有する他のサーバ１３のみで行うことも可能であるし、全ての検索を検索部１６、１７を有する他のサーバ１３、１５でおこなうことも可能である。前者の場合コンピュータ１は識別情報を他のサーバ１３に伝送し検索を依頼することになり、後者の場合コンピュータ１はキーワードを他のサーバ１５に伝送して検索を依頼することになる。
【００５０】
なお、本実施例では、識別情報からキーワードを検索し、さらにキーワードからアドレスを検索しているが、これは、他のサーバ１３、１５の一般的な検索機能を利用しやすいようにするためである。
よって、一般的な検索に加えて識別情報から直接アドレスを検索する検索部をも有する他のサーバが一般的になれば、キーワードを検索せずに直接アドレスを検索することも可能である。この実施例を図９に示す。
【００５１】
かかる機能は、主として制御部２の関連情報の自動呼び出しプログラムで実施される。なお、かかるプログラムも図２で示すＣＤの自動起動プログラムと並列的に起動することが可能である。
【００５２】
まず、ステップ９１にてディスクのセットがなされたか否かが検知される。この点はステップ５１と同様である。
【００５３】
ディスクのセットがなされていない場合は今回の処理を終了する。他方ディスクのセットが検出された場合はステップ９２にてセットされたディスクの識別情報を取得する。この点もステップ５２と同様である。
【００５４】
次に、ステップ９３で識別情報に対応するアドレスの検索が行われる。具体的にはデータベース１８に保持している検索テーブルのデータを検索することで対応するアドレス（例えば音楽ＣＤの識別情報であればその歌手のホームページのアドレス）の検索がなされる。
検索テーブルの構成例を図１０に示す。ここではディスク内容毎のテーブルを構成し、該当するテーブルのデータのみを検索対象とすることで検索量を減らすように構成している。
また、識別情報とアドレスとは必ずしも１対１に対応する必要はなく、１つの識別情報（例えば識別情報１）を複数のアドレス（例えばアドレス１、２）に対応させてもよく、また、逆に複数の識別情報（例えば識別情報２、３）を１つのアドレス（例えばアドレス３）に対応させてもよい。
【００５５】
かかるデータベースは使用者の入力により作成することができるし、他の再生媒体（例えばデータベースを記憶したディスク）から得ることもできる。
また、セットされた再生媒体自体がアドレス情報をさらに記憶することも可能である。この場合はステップ９３は不要となる。
さらに、識別情報からアドレスを検索する検索部１９を有する他のサーバ１８にアクセスし、得られたアドレスを順次保持していくことで図１０のようなデータベースを構築してもよい。
【００５６】
検索にてアドレスが得られた場合（ステップ９４：ＹＥＳ）は、該当するアドレスの関連情報を取得しこれを表示する（ステップ９９）。
ホームページのような関連情報は通信路１２を介して検索されたアドレスのサーバ１４にアクセスすることで取得できる。
また、ネットワークを用いず、関連情報を記憶している再生媒体（例えば関連情報を記憶したＣＤ−ＲＯＭ）から検索したアドレスについての関連情報を取得することも可能である。
【００５７】
また、対応するアドレスが取得できない場合は（ステップ９４：ＮＯ）、このままでは関連情報が表示できないのでコンピュータ１のデータベースより更に大きなデータベースを有し、且つ、識別情報からアドレスを検索する検索部１９を有する外部サーバ１８に識別情報を伝送する（ステップ９５）。外部サーバ１８は検索を行い対応するアドレスをコンピュータ１に伝送する。
【００５８】
対応するアドレスが取得された場合（ステップ９６：ＹＥＳ）はステップ９９にて該当する関連情報を表示する。
また、対応するアドレスが取得されない場合（ステップ９６：ＮＯ）は追加のキーワードまたはアドレスを使用者に要求する表示をするように表示部１０を制御する（ステップ９７）。
【００５９】
入力部９を介してキーワードが入力された場合はステップ９３に戻りアドレスの検索を行う。また、入力部９を介してアドレスが入力された場合はステップ９９にて関連情報の表示を行う。
【００６０】
以上が関連情報の自動呼び出し処理であり、かかる機能を追加することで自動的に関連情報の表示を行うことが可能となる。
なお、本実施例では、アドレスの検索をコンピュータ１でもおこなうようにしているが、検索機能を有する外部サーバ１８のみを使用するように構成することも可能である。
【００６１】
また、本発明ではＣＤを例にとり説明したが、これに限らず、ＴＯＣに相当する情報を持つＤＶＤのような他の再生媒体でも使用可能である。
【００６２】
【発明の効果】
本発明によれば、再生媒体をセットするだけで自動的にその再生媒体の種別に応じた再生を行うと共に、その再生媒体がオーディオディスクの場合には、その再生媒体に関連する関連情報を得ることができるので、操作性の向上が可能となる。
【図面の簡単な説明】
【図１】本発明のコンピュータの概要を示すブロック図である。
【図２】再生制御部が実行する再生プログラム自動起動の手順を示すフローチャートである。
【図３】再生制御部が実行するＣＤエクストラの再生セッションの選択の手順を示すフローチャートである。
【図４】再生制御部が実行するＣＤエクストラの再生セッションの優先順位を決定する手順を示すフローチャートである。
【図５】再生制御部が実行する関連情報の自動表示の手順を示すフローチャートである。
【図６】検索テーブルの一例を示す図である。
【図７】検索テーブルの一例を示す図である。
【図８】キーワードの入力を要求する表示例である。
【図９】再生制御部が実行する関連情報の自動表示の他の手順を示すフローチャートである。
【図１０】検索テーブルの一例を示す図である。
【符号の説明】
１  コンピュータ
２  制御部
３  ＣＤオーディオ用再生プログラム
４  フォトＣＤ用再生プログラム
５  ビデオＣＤ用再生プログラム
６  ＲＡＭ
７  読取り部
８  ＣＤ
９  入力部
１０  表示部
１１  通信バス
１２  通信路
１３、１４、１５、１８  サーバ
１６、１７、１９  検索部
【図１】
0004408457.tif 000002
【図２】
0004408457.tif 000003
【図３】
0004408457.tif 000004
【図４】
0004408457.tif 000005
【図５】
0004408457.tif 000006
【図６】
0004408457.tif 000007
【図７】
0004408457.tif 000008
【図８】
0004408457.tif 000009
【図９】
0004408457.tif 000010
【図１０】
0004408457.tif 000011